(57)【特許請求の範囲】
【請求項１】
赤外線通信制御サーバと、
前記赤外線通信制御サーバと信号を通信可能な赤外線通信装置と、
を備え、
前記赤外線通信制御サーバは、
赤外線制御信号を所定のフォーマットに変換して出力信号を生成する変換部と、
前記変換部が生成した出力信号を出力する出力部と、
を備え、
前記出力部は、コンテンツ配信サーバからのコンテンツデータの配信タイミングに同期して前記出力信号を出力し、
前記赤外線通信装置は、
前記赤外線通信制御サーバから出力された出力信号に基づく赤外線制御信号を取得する赤外線制御信号取得部と、
前記赤外線制御信号取得部が取得した前記赤外線制御信号に基づいて、携帯機器を動作させる赤外線信号を赤外線で出力する赤外線出力部と、
を備える、赤外線通信システム。
【請求項２】
前記赤外線通信制御サーバは、前記赤外線制御信号の基となる、機器を制御するための機器制御信号を取得する取得部をさらに備える、請求項１に記載の赤外線通信システム。
【請求項３】
前記機器制御信号は、照明機器又は音響機器を制御する信号である、請求項２に記載の赤外線通信システム。
【請求項４】
前記赤外線通信装置が出力する赤外線を受光して動作する前記携帯機器をさらに備え、
前記携帯機器は、
前記赤外線出力部が出力する前記赤外線制御信号を赤外線で受光する受光部と、
前記受光部が受光した前記赤外線制御信号に基づいて動作を制御する制御部と、
を備える、請求項１〜３のいずれか１項に記載の赤外線通信システム。
【請求項５】
前記赤外線出力部は、前記携帯機器を発光させるための赤外線信号を赤外線で出力する、請求項４に記載の赤外線通信システム。
【請求項６】
前記赤外線出力部は、前記携帯機器から音声を出力させるための赤外線信号を赤外線で出力する、請求項４に記載の赤外線通信システム。
【請求項７】
前記赤外線出力部は、前記携帯機器を振動させるための赤外線信号を赤外線で出力する、請求項４に記載の赤外線通信システム。
【請求項８】
前記赤外線出力部は、近接非接触通信の電波を出力させるための赤外線信号を赤外線で出力する、請求項４に記載の赤外線通信システム。
【発明の詳細な説明】
【技術分野】
【０００１】
本発明は、赤外線通信システムに関する。
【背景技術】
【０００２】
特許文献１には、赤外線を用いた携帯機器及び赤外線通信システムの発明が開示されている。特許文献１に記載された発明は、携帯機器が赤外線の受光に応じて、対応する出力データを出力するものである。
【先行技術文献】
【特許文献】
【０００３】
【特許文献１】特開２０２０−０９２３２８号公報
【発明の概要】
【発明が解決しようとする課題】
【０００４】
特許文献１に記載された発明は、赤外線通信装置から発光された赤外線の受光に応じて携帯機器が出力データを出力するものであるが、赤外線通信装置の操作が赤外線の発光のトリガとなるものであり、赤外線通信装置を遠隔で制御して赤外線を発光させるものではない。
【０００５】
本発明は、上記の点に鑑みてなされたものであり、赤外線通信装置を遠隔で制御することで任意のタイミングで赤外線通信装置から赤外線を発光させることが可能な赤外線通信システムを提供することを目的とする。
【課題を解決するための手段】
【０００６】
請求項１の発明に係る赤外線通信システムは、赤外線通信制御サーバと、前記赤外線通信制御サーバと信号を通信可能な赤外線通信装置と、を備え、前記赤外線通信制御サーバは、赤外線制御信号を所定のフォーマットに変換して出力信号を生成する変換部と、前記変換部が生成した出力信号を出力する出力部と、を備え、前記赤外線通信装置は、前記赤外線通信制御サーバから出力された出力信号に基づく赤外線制御信号を取得する赤外線制御信号取得部と、前記赤外線制御信号取得部が取得した前記赤外線制御信号に基づいて、携帯機器を動作させる赤外線信号を赤外線で出力する赤外線出力部と、を備える。
【０００７】
請求項１の発明によれば、赤外線通信制御サーバからの出力信号の受信に応じて得られる赤外線制御信号を赤外線通信装置が受信することで、遠隔で赤外線通信装置からの赤外線信号の出力を制御できる。
【０００８】
請求項２の発明に係る赤外線通信システムは、前記赤外線通信制御サーバは、前記赤外線制御信号の基となる、機器を制御するための機器制御信号を取得する取得部をさらに備える。
【０００９】
請求項２の発明によれば、機器を制御するための機器制御信号に基づいた赤外線制御信号を生成し、赤外線通信装置に向けて送信できる。
【００１０】
請求項３の発明に係る赤外線通信システムは、前記機器制御信号は、照明機器又は音響機器を制御する信号である。
【００１１】
請求項３の発明によれば、照明機器又は音響機器を制御するための機器制御信号に基づいた赤外線制御信号を生成し、赤外線通信装置に向けて送信できる。
【００１２】
請求項４の発明に係る赤外線通信システムは、前記出力部は、コンテンツ配信サーバからのコンテンツデータの配信タイミングに同期して前記出力信号を出力する。
【００１３】
請求項４に記載の発明によれば、コンテンツ配信サーバからのコンテンツデータの配信タイミングと同期して、遠隔で端末装置の動作を制御できる。
【００１４】
請求項５の発明に係る赤外線通信システムは、前記赤外線通信装置が出力する赤外線を受光して動作する前記携帯機器をさらに備え、前記携帯機器は、前記赤外線出力部が出力する前記赤外線制御信号を赤外線で受光する受光部と、前記受光部が受光した前記赤外線制御信号に基づいて動作を制御する制御部と、を備える。
【００１５】
請求項５に記載の発明によれば、赤外線通信制御サーバから、遠隔で端末装置の動作を制御できる。
【００１６】
請求項６の発明に係る赤外線通信システムは、前記赤外線出力部は、前記携帯機器を発光させるための赤外線信号を赤外線で出力する。
【００１７】
請求項６に記載の発明によれば、赤外線通信制御サーバから、遠隔で端末装置を発光させる動作を制御できる。
【００１８】
請求項７の発明に係る赤外線通信システムは、前記赤外線出力部は、前記携帯機器から音声を出力させるための赤外線信号を赤外線で出力する。
【００１９】
請求項７に記載の発明によれば、赤外線通信制御サーバから、遠隔で端末装置から音声を出力させる動作を制御できる。
【００２０】
請求項８の発明に係る赤外線通信システムは、前記赤外線出力部は、前記携帯機器を振動させるための赤外線信号を赤外線で出力する。
【００２１】
請求項８に記載の発明によれば、赤外線通信制御サーバから、遠隔で端末装置を振動させる動作を制御できる。
【００２２】
請求項９の発明に係る赤外線通信システムは、前記赤外線出力部は、近接非接触通信の電波を出力させるための赤外線信号を赤外線で出力する。
【００２３】
請求項９に記載の発明によれば、赤外線通信制御サーバから、遠隔で端末装置から近接非接触通信の電波を出力させる動作を制御できる。
【００２４】
本発明によれば、赤外線通信装置を遠隔で制御することで任意のタイミングで赤外線通信装置から赤外線を発光させることが可能な赤外線通信システムを提供することができる。
【図面の簡単な説明】
【００２５】
【図１】第１の実施形態に係る赤外線通信システムの概略構成を示す図である。
【図２】赤外線通信制御サーバのハードウェア構成を示すブロック図である。
【図３】赤外線通信制御サーバの機能構成の例を示すブロック図である。
【図４】情報処理装置のハードウェア構成を示すブロック図である。
【図５】情報処理装置の機能構成の例を示すブロック図である。
【図６】赤外線通信装置の構成例を示すブロック図である。
【図７】携帯端末の構成例を示すブロック図である。
【図８】赤外線通信システムによる認証処理の流れを示すシーケンス図である。
【図９】赤外線通信システムによる赤外線通信処理の流れを示すシーケンス図である。
【図１０】第２の実施形態に係る赤外線通信システムの概略構成を示す図である。
【図１１】赤外線通信システムによる赤外線通信処理の流れを示すシーケンス図である。
【図１２】第３の実施形態に係る赤外線通信システムの概略構成を示す図である。
【図１３】赤外線通信システムによる赤外線通信処理の流れを示すシーケンス図である。
【発明を実施するための形態】
【００２６】
以下、本開示の実施形態の一例を、図面を参照しつつ説明する。なお、各図面において同一または等価な構成要素および部分には同一の参照符号を付与している。また、図面の寸法比率は、説明の都合上誇張されており、実際の比率とは異なる場合がある。
【００２７】
＜第１の実施形態＞
（システム構成）
図１は、本発明の第１の実施形態に係る赤外線通信システムの概略構成を示す図である。図１に示した赤外線通信システム１は、赤外線通信制御サーバ１０と、赤外線通信装置４０と、を有する。赤外線通信制御サーバ１０と、赤外線通信装置４０とは、インターネットその他のネットワーク６０、及びネットワーク６０に接続されている情報処理装置３０を介して接続されている。また、赤外線通信システム１には、コンテンツ配信サーバ２０が接続されうる。コンテンツ配信サーバ２０は、ネットワーク６０を通じて動画像等のコンテンツデータを情報処理装置３０に配信するサーバである。本実施形態では、コンテンツ配信サーバ２０は、コンテンツデータを情報処理装置３０に配信するとして説明するが、コンテンツデータは、情報処理装置３０とは異なる装置に配信されてもよい。
【００２８】
赤外線通信制御サーバ１０は、赤外線通信装置４０と赤外線で通信する携帯機器５０の動作を制御するための、赤外線制御信号を生成する。赤外線制御信号は、例えばバイナリデータである。赤外線通信制御サーバ１０は、ネットワーク６０を通じて、赤外線通信装置４０と接続されている情報処理装置３０へ、赤外線制御信号を送信する。赤外線通信制御サーバ１０は、コンサートホール等のイベント会場に設営された照明機器、音響機器その他の機器を制御するための機器制御信号に基づいて、制御信号を生成してもよい。
【００２９】
赤外線通信制御サーバ１０は、赤外線制御信号を生成した後に、所定のフォーマットを有する出力信号に変換してもよい。出力信号は、例えばＵｎｉｃｏｄｅで生成されてもよい。出力信号がＵｎｉｃｏｄｅで生成されることで、情報処理装置３０は出力信号の処理が容易となる。本実施形態は、赤外線通信制御サーバ１０は、バイナリの赤外線制御信号を、Ｕｎｉｃｏｄｅの出力信号に変換するものとして説明する。
【００３０】
赤外線通信装置４０は、情報処理装置３０と接続される。赤外線通信装置４０と情報処理装置３０との接続形態は問わないが、赤外線通信装置４０と情報処理装置３０とは、例えばＷｉ−Ｆｉ（登録商標）、又はＢｌｕｅｔｏｏｔｈ（登録商標）によって接続される。赤外線通信装置４０は、例えば、ＵＳＢ（Ｕｎｉｖｅｒｓａｌ  Ｓｅｒｉａｌ  Ｂｕｓ）給電等により外部から電源の供給を受けて動作してもよく、内蔵のバッテリが蓄える電力により動作してもよい。赤外線通信装置４０は、例えば家庭内に設置される装置であり、赤外線通信制御サーバ１０からの赤外線制御信号を、情報処理装置３０を介して受信する。赤外線通信装置４０は、赤外線制御信号を受信すると、受信した赤外線制御信号を赤外線で発光する。
【００３１】
携帯機器５０は、エンドユーザが携帯し、赤外線通信装置との間で赤外線通信を行う機器である。携帯機器５０は、例えば、内蔵のバッテリが蓄える電力により動作する。携帯機器５０は、例えばＬＥＤ（Ｌｉｇｈｔ  Ｅｍｉｔｔｉｎｇ  Ｄｉｏｄｅ）ライト、スピーカ等を有し得る。赤外線通信装置４０が発光した赤外線制御信号を携帯機器５０が受信すると、携帯機器５０は、受信した赤外線制御信号に対応した処理を実行する。赤外線制御信号が、携帯機器５０のＬＥＤライトを赤色で発光させるものであれば、携帯機器５０は、ＬＥＤライトを赤色で発光させる。また、赤外線制御信号が、携帯機器５０から所定の音声を出力させるものであれば、携帯機器５０は、スピーカからその音声を出力させる。
【００３２】
情報処理装置３０は、例えば、パーソナルコンピュータ、スマートフォン等の機器であり、赤外線通信制御サーバ１０からネットワークを通じて赤外線制御信号を受信する。そして、情報処理装置３０は、赤外線制御信号を、接続している赤外線通信装置４０へ送信する。赤外線通信制御サーバ１０が赤外線制御信号から出力信号に変換した場合、情報処理装置３０は、出力信号を赤外線制御信号に変換する。
【００３３】
赤外線通信制御サーバ１０は、所定のタイミングで携帯機器５０を動作させるための赤外線制御信号を、コンテンツ配信サーバ２０からのコンテンツデータの配信に合わせて送信する。コンテンツ配信サーバ２０が配信するコンテンツデータがコンサートの映像であるとする。コンサートの映像において盛り上がる場面になれば、赤外線通信制御サーバ１０は、その場面に合わせて携帯機器５０のＬＥＤライトが発光したり、スピーカから音声を出力したりするような赤外線制御信号を送信する。そのような赤外線制御信号は、コンサートの映像に合わせて携帯機器５０を動作させるよう、予めコンテンツデータの制作者などによって作成されうる。本実施形態では、予め制作されたコンサート等のイベントの映像の配信に応じて携帯機器５０を動作させるため、赤外線通信制御サーバ１０からの出力信号は、複数の情報処理装置３０に対してユニキャストで配信される。
【００３４】
赤外線通信制御サーバ１０は、赤外線制御信号を送信する際に、コンテンツ配信サーバ２０からコンテンツデータの配信を受けるためにユーザが課金したかどうかを判断してもよい。
【００３５】
図１に示したシステム構成では、赤外線通信制御サーバ１０とコンテンツ配信サーバ２０とから、それぞれ出力信号とコンテンツデータとが送信される構成となっているが、本発明は係る例に限定されるものではない。例えば、出力信号が組み込まれたコンテンツデータをコンテンツ配信サーバ２０から配信するような構成であってもよい。
【００３６】
続いて、各装置の構成について詳細に説明する。
【００３７】
（赤外線通信制御サーバ）
図２は、赤外線通信制御サーバ１０のハードウェア構成を示すブロック図である。
【００３８】
図２に示すように、赤外線通信制御サーバ１０は、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ストレージ１４、入力部１５、表示部１６及び通信インタフェース（Ｉ／Ｆ）１７を有する。各構成は、バス１９を介して相互に通信可能に接続されている。
【００３９】
ＣＰＵ１１は、中央演算処理ユニットであり、各種プログラムを実行したり、各部を制御したりする。すなわち、ＣＰＵ１１は、ＲＯＭ１２またはストレージ１４からプログラムを読み出し、ＲＡＭ１３を作業領域としてプログラムを実行する。ＣＰＵ１１は、ＲＯＭ１２またはストレージ１４に記録されているプログラムにしたがって、上記各構成の制御および各種の演算処理を行う。本実施形態では、ＲＯＭ１２またはストレージ１４には、ネットワーク６０へ赤外線制御信号から生成された出力信号を送信する赤外線制御プログラムが格納されている。
【００４０】
ＲＯＭ１２は、各種プログラムおよび各種データを格納する。ＲＡＭ１３は、作業領域として一時的にプログラムまたはデータを記憶する。ストレージ１４は、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）またはフラッシュメモリ等の記憶装置により構成され、オペレーティングシステムを含む各種プログラム、および各種データを格納する。
【００４１】
入力部１５は、マウス等のポインティングデバイス、およびキーボードを含み、各種の入力を行うために使用される。
【００４２】
表示部１６は、たとえば、液晶ディスプレイであり、各種の情報を表示する。表示部１６は、タッチパネル方式を採用して、入力部１５として機能しても良い。
【００４３】
通信インタフェース１７は、情報処理装置３０等の他の機器と通信するためのインタフェースであり、たとえば、イーサネット（登録商標）、ＦＤＤＩ、Ｗｉ−Ｆｉ（登録商標）等の規格が用いられる。
【００４４】
上記の赤外線制御プログラムを実行する際に、赤外線通信制御サーバ１０は、上記のハードウェア資源を用いて、各種の機能を実現する。赤外線通信制御サーバ１０が実現する機能構成について説明する。
【００４５】
図３は、赤外線通信制御サーバ１０の機能構成の例を示すブロック図である。
【００４６】
図３に示すように、赤外線通信制御サーバ１０は、機能構成として、通信部１０１、変換部１０２及び記憶部１０３を有する。各機能構成は、ＣＰＵ１１がＲＯＭ１２またはストレージ１４に記憶された赤外線制御プログラムを読み出し、実行することにより実現される。
【００４７】
通信部１０１は、赤外線制御信号から変換された出力信号をネットワーク６０へ送信する。出力信号は、変換部１０２によって赤外線制御信号から変換される。
【００４８】
変換部１０２は、赤外線制御信号を通信部１０１からシリアル通信するために、赤外線制御信号を所定のフォーマットに変換し、出力信号を生成する。変換部１０２は、出力信号をＵｎｉｃｏｄｅで生成してもよい。出力信号がＵｎｉｃｏｄｅの形式で生成されることで、情報処理装置３０での信号処理が容易となる。また変換部１０２は、出力信号を所定の文字列の形式で生成してもよい。出力信号が文字列の形式で生成されることで、情報処理装置３０での信号処理が容易となる。
【００４９】
記憶部１０３は、変換部１０２が生成した出力信号を記憶する。記憶部１０３が記憶した出力信号は、所定のタイミングで通信部１０１から送信される。所定のタイミングは、例えば、コンテンツ配信サーバ２０からのコンテンツの配信と同期したタイミングでもよい。
【００５０】
（情報処理装置）
図４は、情報処理装置３０のハードウェア構成を示すブロック図である。
【００５１】
図４に示すように、情報処理装置３０は、ＣＰＵ３１、ＲＯＭ３２、ＲＡＭ３３、ストレージ３４、入力部３５、表示部３６及び通信インタフェース（Ｉ／Ｆ）３７を有する。各構成は、バス３９を介して相互に通信可能に接続されている。
【００５２】
ＣＰＵ３１は、中央演算処理ユニットであり、各種プログラムを実行したり、各部を制御したりする。すなわち、ＣＰＵ３１は、ＲＯＭ３２またはストレージ３４からプログラムを読み出し、ＲＡＭ３３を作業領域としてプログラムを実行する。ＣＰＵ３１は、ＲＯＭ３２またはストレージ３４に記録されているプログラムにしたがって、上記各構成の制御および各種の演算処理を行う。本実施形態では、ＲＯＭ３２またはストレージ３４には、ネットワーク６０から出力信号を受信し、出力信号から赤外線制御信号を生成する赤外線制御プログラムが格納されている。
【００５３】
ＲＯＭ３２は、各種プログラムおよび各種データを格納する。ＲＡＭ３３は、作業領域として一時的にプログラムまたはデータを記憶する。ストレージ３４は、ＨＤＤ、ＳＳＤまたはフラッシュメモリ等の記憶装置により構成され、オペレーティングシステムを含む各種プログラム、および各種データを格納する。
【００５４】
入力部３５は、マウス等のポインティングデバイス、およびキーボードを含み、各種の入力を行うために使用される。
【００５５】
表示部３６は、たとえば、液晶ディスプレイであり、各種の情報を表示する。表示部３６は、タッチパネル方式を採用して、入力部３５として機能しても良い。
【００５６】
通信インタフェース３７は、赤外線通信制御サーバ１０、コンテンツ配信サーバ２０、及び赤外線通信装置４０等の他の機器と通信するためのインタフェースであり、たとえば、イーサネット（登録商標）、ＦＤＤＩ、Ｗｉ−Ｆｉ（登録商標）、Ｂｌｕｅｔｏｏｔｈ等の規格が用いられる。
【００５７】
上記の赤外線制御プログラムを実行する際に、情報処理装置３０は、上記のハードウェア資源を用いて、各種の機能を実現する。情報処理装置３０が実現する機能構成について説明する。
【００５８】
図５は、情報処理装置３０の機能構成の例を示すブロック図である。
【００５９】
図５に示すように、情報処理装置３０は、機能構成として、第１通信部３０１、制御部３０２、第２通信部３０３、表示部３０４及び記憶部３０５を有する。各機能構成は、ＣＰＵ３１がＲＯＭ３２またはストレージ３４に記憶された赤外線制御プログラムを読み出し、実行することにより実現される。
【００６０】
第１通信部３０１は、赤外線通信制御サーバ１０から送信された出力信号をネットワーク６０から受信する。出力信号は、制御部３０２によって赤外線制御信号へ変換される。
【００６１】
また、第１通信部３０１は、コンテンツ配信サーバ２０から配信されたコンテンツデータをネットワーク６０から受信する。
【００６２】
制御部３０２は、第１通信部３０１が受信した出力信号を、赤外線制御信号に変換する。制御部３０２は、出力信号から変換した赤外線制御信号を、第２通信部３０３から赤外線通信装置４０に送信する。
【００６３】
また、制御部３０２は、コンテンツ配信サーバ２０から配信されたコンテンツデータに対する信号処理を行って、コンテンツデータに対応するコンテンツを表示部３０４に表示させる。
【００６４】
制御部３０２は、赤外線通信制御サーバ１０から出力信号を受信し、コンテンツ配信サーバ２０からコンテンツデータを受信すると、赤外線制御信号とコンテンツデータとを同期させる。制御部３０２が赤外線制御信号とコンテンツデータとを同期させることで、赤外線制御信号を受信した赤外線通信装置４０は、コンテンツデータの再生に合わせて赤外線信号を送信することができる。
【００６５】
制御部３０２は、出力信号から赤外線制御信号に変換し、赤外線通信装置４０に赤外線制御信号を送信する際に、赤外線通信装置４０から送信する赤外線信号の周波数の情報が赤外線制御信号に含まれているか判断する。赤外線通信装置４０から送信する赤外線信号の周波数の情報が赤外線制御信号に含まれていれば、制御部３０２は、赤外線制御信号を赤外線通信装置４０に送信する。一方、赤外線通信装置４０から送信する赤外線信号の周波数の情報が赤外線制御信号に含まれていなければ、制御部３０２は、赤外線制御信号を赤外線通信装置４０に送信しない。
【００６６】
第２通信部３０３は、例えばＷｉ−Ｆｉ、又はＢｌｕｅｔｏｏｔｈ等の無線通信によって接続が確立されている赤外線通信装置４０との間で通信を行う。第２通信部３０３は、制御部３０２によって変換された赤外線制御信号を赤外線通信装置４０へ送信する。制御部３０２は、第２通信部３０３によって赤外線通信装置４０と接続が確立しているかどうかを確認するための処理を実行してもよい。
【００６７】
表示部３０４は、コンテンツ配信サーバ２０から配信されたコンテンツデータに対応するコンテンツを、制御部３０２の制御に基づき表示する。
【００６８】
記憶部３０５は、種々の情報を記憶する。例えば、記憶部３０５は、出力信号から赤外線制御信号に変換するための情報を記憶する。
【００６９】
（赤外線通信装置）
図６は、赤外線通信装置４０の構成例を示すブロック図である。図６に示したように、赤外線通信装置４０は、通信部４０１、制御部４０２、光源４０３ａ〜４０３ｄ、記憶部４０４及び受光部４０５を含む。
【００７０】
通信部４０１は、例えばＷｉ−Ｆｉ、又はＢｌｕｅｔｏｏｔｈ等の無線通信によって情報処理装置３０との間で通信を行う。通信部４０１は、情報処理装置３０から送信される赤外線制御信号を受信する。通信部４０１は、赤外線制御信号取得部の一例である。
【００７１】
制御部４０２は、ＣＰＵ、ＲＯＭ、ＲＡＭ等からなり、赤外線通信装置４０の動作を制御する。例えば、制御部４０２は、通信部４０１が受信した赤外線制御信号に基づき、発光対象の光源４０３ａ〜４０３ｄを発光させる。赤外線制御信号はバイナリデータであり、制御部４０２は、例えば赤外線制御信号が１であれば、発光対象の光源４０３ａ〜４０３ｄを発光させる発光制御を行う。また例えば、制御部４０２は、携帯機器５０から発信され、受光部４０５が受信した赤外線信号に基づく処理を実行する。
【００７２】
光源４０３ａ〜４０３ｄは、例えばＬＥＤであり、制御部４０２による発光制御により赤外線を発光する。本実施形態では光源４０３ａ〜４０３ｄの４つの光源を示しているが、赤外線通信装置４０が有する光源の数は係る例に限定されるものではない。また、光源４０３ａ〜４０３ｄが発光する赤外線信号の周波数も、特定のものに限定されるものではないが、テレビ又はエアーコンディショナのリモートコントローラのような既存の赤外線通信に影響を与えない周波数であることが望ましい。
【００７３】
光源４０３ａ、４０３ｂは、携帯機器５０に向けて赤外線信号を送信するための光源である。光源４０３ａ、４０３ｂは、赤外線出力部の一例である。光源４０３ｃは、光源４０３ａ、４０３ｂから赤外線信号が送信されたことを示すための光源である。光源４０３ｄは、情報処理装置３０との間で通信が確立しているかどうかを示すための光源である。光源４０３ｄは、例えば、少なくとも２色で発光可能な光源である。情報処理装置３０と赤外線通信装置４０とが無線通信を行う場合、光源４０３ｄは、情報処理装置３０との接続を待機している状態であれば所定の色（例えば赤色）で、情報処理装置３０との接続が確立している状態であれば別の所定の色（例えば緑色）で発光してもよい。
【００７４】
記憶部４０４は、赤外線通信装置４０の動作に関する種々の情報を記憶する。記憶部４０４は、例えば、光源４０３ａ、４０３ｂから送信する赤外線信号の発光パターンの情報を記憶する。発光パターンの情報は、情報処理装置３０から書き換えることが可能であってもよい。
【００７５】
受光部４０５は、例えばフォトダイオードからなり、携帯機器５０から送信された赤外線信号を受光する。受光部４０５が受光した赤外線信号は、制御部４０２に送られる。制御部４０２は、受光部４０５が受光した赤外線信号に基づく処理を実行する。
【００７６】
（携帯端末）
図７は、携帯機器５０の構成例を示すブロック図である。図７に示したように、携帯機器５０は、赤外線通信部５０１、制御部５０２、出力部５０３、操作部５０４、及び記憶部５０５を含む。
【００７７】
赤外線通信部５０１は、赤外線通信装置４０との間で赤外線通信を行う。赤外線通信部５０１は、赤外線信号の受光部５０１ａと、赤外線信号の発光部５０１ｂとからなる。受光部５０１ａは、例えばフォトダイオードからなる。赤外線通信装置４０の光源４０３ａ、４０３ｂから赤外線信号が送信され、受光部５０１ａが赤外線信号を受信すると、受信した赤外線信号は制御部５０２に送られる。発光部５０１ｂは、赤外線を発光するＬＥＤからなる。
【００７８】
制御部５０２は、ＣＰＵ、ＲＯＭ、ＲＡＭ等からなり、携帯機器５０の動作を制御する。例えば、制御部５０２は、受光部５０１ａが受信した赤外線信号に応じた処理を実行する。受光部５０１ａが受信した赤外線信号が、指定された色で出力部５０３を発光させるものであれば、制御部５０２は、その指定色で出力部５０３を発光させる。また、受光部５０１ａが受信した赤外線信号が、指定された音声ファイルを再生し、出力部５０３から当該音声ファイルの音声を出力させるものであれば、制御部５０２は、当該音声ファイルを再生し、出力部５０３から当該音声ファイルの音声を出力させる。
【００７９】
出力部５０３は、ＬＥＤライト、スピーカ、バイブレータ等からなり、制御部５０２の制御に基づき、発光又は音声の出力、振動の発生等を行う。
【００８０】
また、出力部５０３は、近接非接触通信を行うアンテナを備えてもよい。制御部５０２の制御に基づき、アンテナからの近接非接触通信のための電波の送信が行われてもよい。出力部５０３から近接非接触通信のための電波が送信されることで、携帯機器５０に近接した装置との間の近接非接触通信を赤外線通信装置４０から制御できる。
【００８１】
操作部５０４は、携帯機器５０に対する所定の操作を受け付ける。携帯機器５０に対する所定の操作は、例えば、携帯機器５０の電源のオン又はオフ、スピーカの音量の変更等である。
【００８２】
記憶部５０５は、携帯機器５０の動作に関する種々の情報を記憶する。記憶部５０５は、例えば、赤外線信号に対応する動作の定義を記憶する。また記憶部５０５は、例えば、出力部５０３から出力する音声の基となる音声ファイルを記憶する。
【００８３】
（赤外線通信システムの作用）
次に、赤外線通信システム１の作用について説明する。
【００８４】
図８は、赤外線通信システム１による認証処理の流れを示すシーケンス図である。図８に示した認証処理は、ユーザがコンテンツ配信サーバ２０からコンテンツデータの配信を受けるための処理である。
【００８５】
コンテンツ配信サーバ２０からコンテンツデータの配信を受けようとする情報処理装置３０は、コンテンツ配信サーバ２０に対して認証を要求する（ステップＳ１０１）。ステップＳ１０１では、例えば、コンテンツ配信サーバ２０に登録しているユーザのＩＤ及びパスワードの情報が情報処理装置３０から送信される。
【００８６】
情報処理装置３０から認証要求を受信したコンテンツ配信サーバ２０は、受信した情報を用いた認証処理を実行する（ステップＳ１０２）。
【００８７】
認証処理が完了すると、コンテンツ配信サーバ２０は、情報処理装置３０へコンテンツデータを配信するために必要な課金を情報処理装置３０へ要求する（ステップＳ１０３）。
【００８８】
情報処理装置３０は、課金要求をコンテンツ配信サーバ２０から受信すると、コンテンツデータの配信を受けるための課金処理を実行する（ステップＳ１０４）。
【００８９】
情報処理装置３０で課金処理が完了すると、コンテンツ配信サーバ２０は、当該ユーザは課金処理が完了した旨を赤外線通信制御サーバ１０に通知する（ステップＳ１０５）。
【００９０】
赤外線通信制御サーバ１０は、コンテンツ配信サーバ２０から課金処理の完了の通知を受信すると、当該ユーザの情報を登録する（ステップＳ１０６）。赤外線通信制御サーバ１０は、ユーザの情報として、例えば、当該ユーザのＩＤ、ユーザが課金処理を行ったコンテンツの情報を登録する。赤外線通信制御サーバ１０は、課金処理を完了したユーザの情報を登録することで、当該ユーザの情報処理装置３０に対する赤外線制御信号の送信を可能にする。
【００９１】
なお、コンテンツデータの配信が無料で行われる場合には、コンテンツ配信サーバ２０及び情報処理装置３０は、課金に関する一連の処理を省略してもよい。
【００９２】
図９は、赤外線通信システム１による赤外線通信処理の流れを示すシーケンス図である。図９に示した赤外線通信処理は、コンテンツ配信サーバ２０からのコンテンツデータの配信に合わせて赤外線通信制御サーバ１０から送信される出力信号に基づき、赤外線通信装置４０から送信される赤外線信号により、携帯機器５０を動作させる処理である。図９に示したシーケンス図においては、コンテンツ配信サーバ２０からのコンテンツデータの配信に関する処理を省略している。
【００９３】
赤外線通信制御サーバ１０のＣＰＵ１１は、赤外線通信装置４０に送信するための赤外線制御信号を取得する（ステップＳ１１１）。ＣＰＵ１１は、コンテンツ配信サーバ２０から配信されるコンテンツデータから赤外線制御信号を抽出することで赤外線制御信号を取得してもよく、赤外線通信制御サーバ１０又はコンテンツ配信サーバ２０に予め保存されている赤外線制御信号を取得してもよい。
【００９４】
ステップＳ１１１に続いて、赤外線通信制御サーバ１０のＣＰＵ１１は、変換部１０２として、取得した赤外線制御信号を、所定のフォーマットを有する出力信号に変換する信号変換を行う（ステップＳ１１２）。赤外線通信制御サーバ１０のＣＰＵ１１は、変換した出力信号を、課金処理の完了に伴って情報が登録されたユーザの情報処理装置３０へ送信する。
【００９５】
赤外線通信制御サーバ１０から出力信号を受信した情報処理装置３０のＣＰＵ３１は、制御部３０２として、受信した出力信号を、バイナリの赤外線制御信号に変換する信号変換を行う（ステップＳ１１３）。情報処理装置３０のＣＰＵ３１は、変換して得られた赤外線制御信号を赤外線通信装置４０に送信する。
【００９６】
情報処理装置３０から赤外線制御信号を受信した赤外線通信装置４０の制御部４０２は、受信した赤外線制御信号に対応する赤外線信号を光源４０３ａ、４０３ｂから送信する（ステップＳ１１４）。例えば、受信した赤外線制御信号が携帯機器５０を赤色で発光させるよう指示された信号であれば、赤外線通信装置４０の制御部４０２は、携帯機器５０を赤色で発光させるための赤外線信号を光源４０３ａ、４０３ｂから送信する。
【００９７】
赤外線信号を受信した携帯機器５０の制御部５０２は、受信した赤外線信号に対応する処理を実行する（ステップＳ１１５）。携帯機器５０を赤色で発光させるよう指示された赤外線信号を受光部５０１ａが受信すると、制御部５０２は、赤色で発光させるよう出力部５０３を動作させる。
【００９８】
図９に示した一連の動作を実行することで、本実施形態に係る赤外線通信システム１は、赤外線通信制御サーバ１０から送信された出力信号に基づき、赤外線通信装置４０から赤外線信号を送信させ、赤外線信号に基づいて携帯機器５０を動作させることができる。赤外線通信システム１は、コンテンツデータの配信に合わせて携帯機器５０を動作させることで、コンテンツを視聴する際の、携帯機器５０を所有するユーザの気分を高揚させることができる。
【００９９】
赤外線通信装置４０と携帯機器５０とは、赤外線通信を行う。そのため、１台の赤外線通信装置４０から、赤外線信号の到達範囲に存在する複数の携帯機器５０を動作させることが可能となる。従って、１人のユーザが複数の携帯機器５０を所有する場合、又は、複数のユーザがそれぞれ携帯機器５０を所有する場合であっても、１台の赤外線通信装置４０から、それぞれの携帯機器５０を動作させることができる。
【０１００】
＜第２の実施形態＞
（システム構成）
図１０は、本発明の第２の実施形態に係る赤外線通信システムの概略構成を示す図である。図１０に示した赤外線通信システム２は、図１に示した赤外線通信システム１に、機器制御装置７０が追加されている。機器制御装置７０は、コンサート会場等に設置されている照明機器又は音響機器の動作を制御する装置である。
【０１０１】
機器制御装置７０からは、照明機器又は音響機器を動作させるための、ＤＭＸ５１２−Ａ等の所定の規格に基づいた機器制御信号が出力される。赤外線通信制御サーバ１０は、機器制御装置７０から出力される機器制御信号を受信する。そして、赤外線通信制御サーバ１０は、機器制御信号に基づいて赤外線制御信号を生成する。例えば、機器制御信号が、照明機器を赤色で発光させるものであれば、赤外線通信制御サーバ１０は、対応して、携帯機器５０を赤色で発光させるための赤外線制御信号を生成する。
【０１０２】
赤外線通信システム２では、コンサート等のイベントの映像の配信形態は問わない。イベントの映像は、テレビジョン放送によって各ユーザの家庭に設置されたテレビ受像機に表示されてもよく、インターネットその他のネットワークを通じて各ユーザが所有する機器に配信されてもよい。
【０１０３】
赤外線通信システム２は、コンサート会場等で照明機器又は音響機器を動作させる機器制御信号の発生に応じて赤外線制御信号が生成され、生成された赤外線制御信号が赤外線通信装置４０に到達する。従って、赤外線通信システム２は、コンサート会場で実際に行われている演出に合わせて、携帯機器５０を動作させることが可能となる。よって、赤外線通信システム２は、携帯機器５０を所有するユーザに、コンサート会場に実際に居る気分を体感させることができる。本実施形態では、コンサート等のイベントの映像のリアルタイム配信に応じて携帯機器５０を動作させるため、赤外線通信制御サーバ１０からの出力信号は、複数の情報処理装置３０に対してマルチキャストで配信される。
【０１０４】
感染症の拡大を防止等の安全性の確保のために、コンサート会場に入場できる観客の数を制限したり、コンサート会場への観客の入場を禁止したり場合がある。コンサート会場に入場できない人に、携帯機器５０を持ちながら自宅でコンサートの映像を視聴してもらうことで、コンサート会場に実際に居る気分を体感させることができる。
【０１０５】
（赤外線通信システムの作用）
図１１は、赤外線通信システム２による赤外線通信処理の流れを示すシーケンス図である。図１１に示した赤外線通信処理は、機器制御装置７０から送られる機器制御信号に基づいて赤外線通信制御サーバ１０において赤外線制御信号を生成し、赤外線通信装置４０から送信される赤外線信号により、携帯機器５０を動作させる処理である。図１１に示したシーケンス図においては、情報処理装置３０から予め赤外線通信システム２によるサービスを受けるための処理が完了しているものとする。
【０１０６】
赤外線通信制御サーバ１０のＣＰＵ１１は、機器制御装置７０から機器制御信号を取得する（ステップＳ２１１）。
【０１０７】
ステップＳ２１１に続いて、赤外線通信制御サーバ１０のＣＰＵ１１は、機器制御信号に基づいて、赤外線通信装置４０に送信するための赤外線制御信号を生成する（ステップＳ２１２）。ＣＰＵ１１は、機器制御信号が予め指定されたパターンと一致していれば、当該パターンに基づいて赤外線制御信号を取得してもよい。
【０１０８】
ステップＳ２１２に続いて、赤外線通信制御サーバ１０のＣＰＵ１１は、変換部１０２として、取得した赤外線制御信号を、所定のフォーマットを有する出力信号に変換する信号変換を行う（ステップＳ２１３）。赤外線通信制御サーバ１０のＣＰＵ１１は、変換した出力信号を、情報が登録されたユーザの情報処理装置３０へ送信する。
【０１０９】
赤外線通信制御サーバ１０から出力信号を受信した情報処理装置３０のＣＰＵ３１は、制御部３０２として、受信した出力信号を、バイナリの赤外線制御信号に変換する信号変換を行う（ステップＳ２１４）。情報処理装置３０のＣＰＵ３１は、変換して得られた赤外線制御信号を赤外線通信装置４０に送信する。
【０１１０】
情報処理装置３０から赤外線制御信号を受信した赤外線通信装置４０の制御部４０２は、受信した赤外線制御信号に対応する赤外線信号を光源４０３ａ、４０３ｂから送信する（ステップＳ２１５）。例えば、受信した赤外線制御信号が携帯機器５０を赤色で発光させるよう指示された信号であれば、赤外線通信装置４０の制御部４０２は、携帯機器５０を赤色で発光させるための赤外線信号を光源４０３ａ、４０３ｂから送信する。
【０１１１】
赤外線信号を受信した携帯機器５０の制御部５０２は、受信した赤外線信号に対応する処理を実行する（ステップＳ２１６）。携帯機器５０を赤色で発光させるよう指示された赤外線信号を受光部５０１ａが受信すると、制御部５０２は、赤色で発光させるよう出力部５０３を動作させる。
【０１１２】
図１１に示した一連の動作を実行することで、本実施形態に係る赤外線通信システム２は、機器制御装置７０から送られた機器制御信号に基づいて生成された赤外線制御信号を赤外線通信装置４０に送信することができる。そして、本実施形態に係る赤外線通信システム２は、赤外線通信装置４０から赤外線信号を送信させ、赤外線信号に基づいて携帯機器５０を動作させることができる。赤外線通信システム２は、コンサート会場での演出に合わせて携帯機器５０を動作させることで、携帯機器５０を所有するユーザに、コンサート会場に実際に居る気分を体感させることができる。
【０１１３】
＜第３の実施形態＞
（システム構成）
図１２は、本発明の第３の実施形態に係る赤外線通信システムの概略構成を示す図である。図１２に示した赤外線通信システム３は、図１に示した赤外線通信システム１に、入力装置８０が追加されている。入力装置８０は、コンサート等のイベントでの演出に合わせて、携帯機器５０の動作を制御するための指示を入力するための装置である。入力装置８０の操作は、第２の実施形態で示した機器制御装置７０の操作と独立してもよく、機器制御装置７０の操作と連動してもよい。
【０１１４】
入力装置８０からは、携帯機器５０の動作を制御するための指示を入力するための入力信号が送信される。入力信号は、照明機器又は音響機器を動作させるための、ＤＭＸ５１２−Ａ等の所定の規格に基づいた信号であってもよく、パルスコードの形式の信号であってもよい。
【０１１５】
赤外線通信システム３では、コンサート等のイベントの映像の配信形態は問わない。イベントの映像は、テレビジョン放送によって各ユーザの家庭に設置されたテレビ受像機に表示されてもよく、インターネットその他のネットワークを通じて各ユーザが所有する機器に配信されてもよい。本実施形態では、コンサート等のイベントの映像のリアルタイム配信に応じて携帯機器５０を動作させるため、赤外線通信制御サーバ１０からの出力信号は、複数の情報処理装置３０に対してマルチキャストで配信される。
【０１１６】
赤外線通信システム３は、コンサート等のイベントでの演出に合わせて発生する、携帯機器５０の動作を制御するため入力信号に応じて赤外線制御信号が生成され、生成された赤外線制御信号が赤外線通信装置４０に到達する。従って、赤外線通信システム３は、コンサート会場で実際に行われている演出に合わせて、携帯機器５０を動作させることが可能となる。よって、赤外線通信システム３は、携帯機器５０を所有するユーザに、コンサート会場に実際に居る気分を体感させることができる。
【０１１７】
（赤外線通信システムの作用）
図１３は、赤外線通信システム３による赤外線通信処理の流れを示すシーケンス図である。図１３に示した赤外線通信処理は、入力装置８０から送られる入力信号に基づいて赤外線通信制御サーバ１０において赤外線制御信号を生成し、赤外線通信装置４０から送信される赤外線信号により、携帯機器５０を動作させる処理である。図１３に示したシーケンス図においては、情報処理装置３０から予め赤外線通信システム２によるサービスを受けるための処理が完了しているものとする。
【０１１８】
赤外線通信制御サーバ１０のＣＰＵ１１は、入力装置８０から入力信号を取得する（ステップＳ３１１）。
【０１１９】
ステップＳ３１１に続いて、赤外線通信制御サーバ１０のＣＰＵ１１は、入力信号に基づいて、赤外線通信装置４０に送信するための赤外線制御信号を生成する（ステップＳ３１２）。ＣＰＵ１１は、入力信号が予め指定されたパターンと一致していれば、当該パターンに基づいて赤外線制御信号を取得してもよい。
【０１２０】
ステップＳ３１２に続いて、赤外線通信制御サーバ１０のＣＰＵ１１は、変換部１０２として、取得した赤外線制御信号を、所定のフォーマットを有する出力信号に変換する信号変換を行う（ステップＳ３１３）。赤外線通信制御サーバ１０のＣＰＵ１１は、変換した出力信号を、情報が登録されたユーザの情報処理装置３０へ送信する。
【０１２１】
赤外線通信制御サーバ１０から出力信号を受信した情報処理装置３０のＣＰＵ３１は、制御部３０２として、受信した出力信号を、バイナリの赤外線制御信号に変換する信号変換を行う（ステップＳ３１４）。情報処理装置３０のＣＰＵ３１は、変換して得られた赤外線制御信号を赤外線通信装置４０に送信する。
【０１２２】
情報処理装置３０から赤外線制御信号を受信した赤外線通信装置４０の制御部４０２は、受信した赤外線制御信号に対応する赤外線信号を光源４０３ａ、４０３ｂから送信する（ステップＳ３１５）。例えば、受信した赤外線制御信号が携帯機器５０を赤色で発光させるよう指示された信号であれば、赤外線通信装置４０の制御部４０２は、携帯機器５０を赤色で発光させるための赤外線信号を光源４０３ａ、４０３ｂから送信する。
【０１２３】
赤外線信号を受信した携帯機器５０の制御部５０２は、受信した赤外線信号に対応する処理を実行する（ステップＳ３１６）。携帯機器５０を赤色で発光させるよう指示された赤外線信号を受光部５０１ａが受信すると、制御部５０２は、赤色で発光させるよう出力部５０３を動作させる。
【０１２４】
図１３に示した一連の動作を実行することで、本実施形態に係る赤外線通信システム３は、入力装置８０から送られた入力信号に基づいて生成された赤外線制御信号を赤外線通信装置４０に送信することができる。そして、本実施形態に係る赤外線通信システム３は、赤外線通信装置４０から赤外線信号を送信させ、赤外線信号に基づいて携帯機器５０を動作させることができる。赤外線通信システム３は、コンサート会場での演出に合わせて携帯機器５０を動作させることで、携帯機器５０を所有するユーザに、コンサート会場に実際に居る気分を体感させることができる。
【０１２５】
各実施形態において、情報処理装置３０にＧＰＳセンサ等の位置情報センサが備えられている場合、位置情報センサが取得した位置情報に応じ、赤外線制御信号を赤外線通信装置４０に送信してもよい。位置情報に応じた赤外線制御信号が赤外線通信装置４０に送信されることで、情報処理装置３０の場所によって異なる動作を携帯機器５０に行わせることができる。
【０１２６】
なお、上記各実施形態でＣＰＵがソフトウェア（プログラム）を読み込んで実行した赤外線通信処理を、ＣＰＵ以外の各種のプロセッサが実行してもよい。この場合のプロセッサとしては、ＦＰＧＡ（Ｆｉｅｌｄ−Ｐｒｏｇｒａｍｍａｂｌｅ  Ｇａｔｅ  Ａｒｒａｙ）等の製造後に回路構成を変更可能なＰＬＤ（Ｐｒｏｇｒａｍｍａｂｌｅ  Ｌｏｇｉｃ  Ｄｅｖｉｃｅ）、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が例示される。また、赤外線通信処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【０１２７】
また、上記各実施形態では、赤外線通信処理のプログラムがＲＯＭまたはストレージに予め記憶（インストール）されている態様を説明したが、これに限定されない。プログラムは、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）、及びＵＳＢ（Ｕｎｉｖｅｒｓａｌ  Ｓｅｒｉａｌ  Ｂｕｓ）メモリ等の非一時的（ｎｏｎ−ｔｒａｎｓｉｔｏｒｙ）記録媒体に記録された形態で提供されてもよい。また、プログラムは、ネットワークを介して外部装置からダウンロードされる形態としてもよい。
【０１２８】
また、上記各実施形態における赤外線通信制御サーバ１０の機能の一部又は全部は、クラウドコンピューティングにより構成されたサーバ、ＡＳＰ（Ａｐｐｌｉｃａｔｉｏｎ  Ｓｅｒｖｉｃｅ  Ｐｒｏｖｉｄｅｒ）が提供するサーバ、ＳａａＳ（Ｓｏｆｔｗａｒｅ  ａｓ  ａ  Ｓｅｒｖｉｃｅ）、ＰａａＳ（Ｐｌａｔｆｏｒｍ  ａｓ  ａ  Ｓｅｒｖｉｃｅ）又はＩａａＳ（Ｉｎｆｒａｓｔｒｕｃｔｕｒｅ  ａｓ  ａ  Ｓｅｒｖｉｃｅ）用のサーバに組み込まれていてもよい。
【符号の説明】
【０１２９】
１、２、３  赤外線通信システム
１０  赤外線通信制御サーバ
２０  コンテンツ配信サーバ
３０  情報処理装置
４０  赤外線通信装置
５０  携帯機器
６０  ネットワーク
７０  機器制御装置
８０  入力装置
【要約】
【課題】赤外線通信装置を遠隔で制御することで任意のタイミングで赤外線通信装置から赤外線を発光させることが可能な赤外線通信システムを提供する。
【解決手段】赤外線通信サーバ１０は、赤外線制御信号を所定のフォーマットに変換して出力信号を生成する変換部１０２と、変換部１０２が生成した出力信号を出力する通信部１０１と、を備え、赤外線通信装置４０は、赤外線通信サーバ１０から出力された出力信号に基づく赤外線制御信号を取得する通信部４０１と、通信部４０１が取得した赤外線制御信号に基づいた赤外線信号を赤外線で出力する光源４０３ａ、４０３ｂと、を備える、赤外線通信システム１が提供される。
【選択図】図１【図１】
0006937058.tif 000002
【図２】
0006937058.tif 000003
【図３】
0006937058.tif 000004
【図４】
0006937058.tif 000005
【図５】
0006937058.tif 000006
【図６】
0006937058.tif 000007
【図７】
0006937058.tif 000008
【図８】
0006937058.tif 000009
【図９】
0006937058.tif 000010
【図１０】
0006937058.tif 000011
【図１１】
0006937058.tif 000012
【図１２】
0006937058.tif 000013
【図１３】
0006937058.tif 000014